(57)【要約】      （修正有）【課題】大掛かりな設備を用いることなく、プール槽の水温を微調整することが可能な吐出ノズルを提供する。【解決手段】プール槽に水を吐出する吐出ノズルであって、その吐出ノズルは、ノズル本体と、ノズル本体の外面を覆う面状発熱体と、面状発熱体の外面を覆う断熱材を備えている。プール槽の水を循環させる際に、面状発熱体によってノズル本体を加熱することで、ノズル本体の内部を通過してプール槽に送り出される水が加熱される。【選択図】図２
0003150810.tif 000002
【実用新案登録請求の範囲】
【請求項１】
プール槽に水を吐出する吐出ノズルであって、
ノズル本体と、
ノズル本体の外面を覆う面状発熱体と、
面状発熱体の外面を覆う断熱材を備える吐出ノズル。
【請求項２】
面状発熱体がＰＴＣ面状発熱体である請求項１の吐出ノズル。
【請求項３】
ＰＴＣ面状発熱体がカーボンフィルム式の面状ヒータである請求項２の吐出ノズル。
【請求項４】
断熱材が断熱塗料である請求項１から３の何れか一項の吐出ノズル。
【考案の詳細な説明】
【技術分野】
【０００１】
本考案は、プール槽に水を吐出する吐出ノズルに関する。
【背景技術】
【０００２】
プール施設のプール槽の水温を調整する技術が知られている。特許文献１には、冬場のように水温が低い場合にはボイラーによって加熱した温水との熱交換によって水を加熱し、夏場のように水温が高い場合には地下水との熱交換によって水を冷却する水温調節装置が記載されている。
【先行技術文献】
【特許文献】
【０００３】
【特許文献１】特開２００３−３３６９０１号公報
【考案の概要】
【考案が解決しようとする課題】
【０００４】
プール槽の水温を微調整したい場合がある。例えば、夏から秋にかけては、その日の気候によってプール槽の水温を１〜２℃程度上げたい場合がある。従来の技術では、このような水温の微調整を行う場合であっても、水を加熱するボイラーやヒートポンプなどの大掛かりな設備を稼動して加熱する必要がある。また、このように大掛かりな設備を持たないプール槽では、水温の調整をすることができなかった。
【０００５】
本考案は上記課題を解決する。本考案は、大掛かりな設備を用いることなく、プール槽の水温を微調整することが可能な技術を提供することを目的とする。
【課題を解決するための手段】
【０００６】
本考案はプール槽に水を吐出する吐出ノズルとして具現化される。その吐出ノズルは、ノズル本体と、ノズル本体の外面を覆う面状発熱体と、面状発熱体の外面を覆う断熱材を備えている。
【０００７】
上記の吐出ノズルをプール槽の水を循環させる流路に設置することで、プール槽の水温を微調整することが可能となる。プール槽の水を循環させる際に、面状発熱体によってノズル本体を加熱することで、ノズル本体の内部を通過してプール槽に送り出される水が加熱される。プール槽の水を循環させながら、この吐出ノズルによる水の加熱を行うことで、プール槽の水温を微調整することができる。この吐出ノズルは既存のプール施設に既に取り付けられている吐出ノズルと容易に交換可能であり、少ない労力で設置することができる。
【０００８】
上記の吐出ノズルを用いる場合、プール槽の大きさに関わらず、水温の微調整が可能である。プール槽が大きい場合には、プール槽が小さい場合にくらべて、より多くの水が蓄えられており、水温を微調整するために必要な加熱量もそれだけ多くなる。しかしながら、大型のプール槽については、それだけ多くの吐出ノズルが設置されるから、個々の吐出ノズルの加熱量が小さいものであっても、プール槽の大きさに応じて適切な加熱量を確保することができる。大型のプール槽についても、速やかに水温を調整することができる。
【０００９】
上記の吐出ノズルは、面状発熱体がＰＴＣ（正温度係数）面状発熱体であることが好ましい。
【００１０】
ＰＴＣ面状発熱体は、発熱によって温度が上昇すると、電気抵抗が増大して消費電力が低下し、発熱量が低下する。逆に、温度が低下すると、電気抵抗が減少して消費電力が増加し、発熱量が増加する。ＰＴＣ面状発熱体はこのような自己温度制御機能を有しているので、吐出ノズルが過度に高温となる事態を防ぐことができる。
【００１１】
上記の吐出ノズルは、ＰＴＣ面状発熱体がカーボンフィルム式の面状ヒータであることが好ましい。
【００１２】
カーボンフィルム式の面状ヒータは、薄く柔軟性があり、加工性にも優れている。ＰＴＣ面状発熱体としてカーボンフィルム式の面状ヒータを用いることで、どのような外面形状のノズル本体についても、その外面を適切に覆うことができる。
【００１３】
上記の吐出ノズルは、断熱材が断熱塗料であることが好ましい。
【００１４】
この吐出ノズルでは、ノズル本体の外面を面状発熱体で覆った後に、断熱塗料を塗布することで断熱材が形成される。ノズル本体および面状発熱体の形状がどのようなものであっても、その外面を適切に覆うことができる。
【考案の効果】
【００１５】
本考案の吐出ノズルによれば、大掛かりな設備を用いることなく、プール槽の水温を微調整することができる。
【図面の簡単な説明】
【００１６】
【図１】本考案の実施例に係るプール槽２を上面から見た図である。
【図２】本考案の実施例に係る吐出ノズル６の構成を示す図である。
【考案を実施するための形態】
【００１７】
以下、本考案の好適な実施形態について詳細に説明する。
【実施例】
【００１８】
図１はプール施設のプール槽２を上面から見た場合の水の循環経路を示している。プール槽２は、底面Ｂに埋設された排水口４と、側壁面Ｓに所定の間隔で埋設された複数の吐出ノズル６を備えている。排水口４は、ポンプ８、濾過器１０を備える循環流路１２に接続している。循環流路１２は、濾過器１０より下流で分岐しており、それぞれの吐出ノズル６に接続している。ポンプ８を駆動すると、プール槽２の水が排水口４から循環流路１２に吸引されて、濾過器１０で濾過された後、それぞれの吐出ノズル６からプール槽２に戻される。なおプール施設には電力管理ボックス５０が設置されている。電力管理ボックス５０は、吐出ノズル６、ポンプ８および濾過器１０に必要な電力を供給する。
【００１９】
図２は吐出ノズル６の詳細を示している。吐出ノズル６は、上流側の循環配管１２ａと下流側の循環配管１２ｂの間に設置される。吐出ノズル６は、第１配管部１４と、第２配管部１６と、ノズル部１８からなるノズル本体６ａを備えている。第１配管部１４は、上流側の循環配管１２ａのフランジ２０ａと接合する上流側フランジ２２ａと、下流側の循環配管１２ｂのフランジ２０ｂと接合する下流側フランジ２２ｂと、上流側フランジ２２ａと下流側フランジ２２ｂの間で水を流す配管２４を備えている。第２配管部１６は第１配管部１４の配管２４の中央付近から分岐してノズル部１８に連通する配管２６を備えている。ノズル部１８は第２配管部１６の配管２６から送られる水をプール槽２の側壁面Ｓに露出した目皿２８の孔３０からプール槽２内へ送り出す。
【００２０】
第１配管部１４の配管２４の外周面と第２配管部１６の配管２６の外周面には、ＰＴＣ（正温度係数）面状発熱体３２が敷設されている。本実施例のＰＴＣ面状発熱体３２は、ＰＴＣカーボンフィルム式の面状ヒータである。ＰＴＣ面状発熱体３２には電力線５２を介して電力管理ボックス５０から電力が供給される。ＰＴＣ面状発熱体３２は、発熱によって温度が上昇すると、電気抵抗が増大して消費電力が低下し、発熱量が低下する。逆に、温度が低下すると、電気抵抗が減少して消費電力が増加し、発熱量が増加する。ＰＴＣ面状発熱体３２はこのような自己温度制御機能を有しているので、吐出ノズル６が過度に高温となる事態を防ぐことができる。
【００２１】
ＰＴＣ面状発熱体３２の外周面には、断熱塗料３４が塗布されている。断熱塗料３４によって、ＰＴＣ面状発熱体３２から外部への放熱が抑制される。断熱塗料３４によって、ＰＴＣ面状発熱体３２が発熱した熱の損失が低減し、吐出ノズル６における高い加熱効率を実現することができる。また、断熱塗料３４によって、ＰＴＣ面状発熱体３２から外部への放熱が抑制されるので、プール槽２の近傍のプールサイドの温度上昇を抑制することができる。
【００２２】
本実施例では、ポンプ８を駆動してプール槽２の水を濾過器１０で濾過する際に、それぞれの吐出ノズル６の面状発熱体３２に電力を供給して水を加熱する。これによって、吐出ノズル６からプール槽２に戻される水を昇温することができる。一般的な大きさのプール槽２の場合には、このような循環加熱によって水温を２℃程度上昇させることができる。
【００２３】
プール槽２の水温を上昇させるために必要な加熱量は、プール槽２の大きさに応じて異なる。プール槽２が大型になるほど、それだけ多くの容積の水を加熱する必要があり、必要な加熱量も増大する。しかしながら、プール槽２が大型になるほど、それだけ多くの吐出ノズル６が設置されるから、加熱能力の小さな吐出ノズル６であっても、プール槽２の水温を上昇させることができる。本実施例の吐出ノズル６によれば、どのような大きさのプール槽２についても、速やかに水温を微調整することができる。
【００２４】
なお吐出ノズル６の面状発熱体３２としては、ＰＴＣカーボンフィルム式の面状ヒータを用いることが好ましいが、これ以外のＰＴＣ面状発熱体（例えばシリコンラバーヒータなど）を用いることも可能である。
【００２５】
また吐出ノズル６の面状発熱体３２として、ＰＴＣ特性を有さない面状発熱体を用いることもできる。この場合には、吐出ノズル６のノズル本体６ａの温度を検知して面状発熱体３２に供給する電力を調整するサーモスタットを別途設けることで、ＰＴＣ面状発熱体を用いる場合と同様に機能させることができる。あるいは、プール槽２の水温を検知する温度センサと、温度センサの検知温度に応じて面状発熱体３２に供給する電力を調整する電力調整手段を別途設けることでも、ＰＴＣ面状発熱体を用いる場合と同様に機能させることができる。なお、ＰＴＣ特性を有さない面状発熱体を用いる場合の特殊な例としては、フェライト粉末とカーボンブラックを樹脂に混合したものを面状発熱体３２としてノズル本体６ａの外面に塗布しておき、その外側から耐熱塗料３４を塗布する構成とすることもできる。この場合には、耐熱塗料３４の外側から電磁波を照射することによって、面状発熱体３２に電力を供給することができ、電力線５２の配線を不要とすることができる。
【００２６】
以上、本考案の具体例を詳細に説明したが、これらは例示にすぎず、実用新案登録請求の範囲を限定するものではない。実用新案登録請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【符号の説明】
【００２７】
２            プール槽
４            排水口
６            吐出ノズル
６ａ          ノズル本体
８            ポンプ
１０          濾過器
１２          循環流路
１２ａ        上流側の循環配管
１２ｂ        下流側の循環配管
１４          第１配管部
１６          第２配管部
１８          ノズル部
２０ａ、２０ｂ       フランジ
２２ａ        上流側フランジ
２２ｂ        下流側フランジ
２４、２６    配管
２８          目皿
３０          孔
３２          面状発熱体
３４          断熱塗料
５０          電力管理ボックス
５２          電力線
【図１】
0003150810.tif 000003
【図２】
0003150810.tif 000004